(57)【要約】本発明は、通電中の高圧線上での作業用の一体型の防護オーバーオール(5)に関するものであり、この防護オーバーオールは第１の導電層を備え、その表面積は、このオーバーオール(5)の表面積にほぼ等しく、銀で覆われたポリマー繊維から得られる。本発明のオーバーオールは、第１の層に安定に接続された第２の層を含むこともできる。
2010522281.tif 000002
【特許請求の範囲】
【請求項１】
通電中の高圧線上での作業用の防護服(1)であって、第１導電層を備えた防護服において、
前記第１の導電層の表面積が、前記防護服(1)の表面積にほぼ等しいことを特徴とする防護服(1)。
【請求項２】
前記第１の導電層が、銀で覆われた導電糸(4)から得られた導電層であることを特徴とする請求項１に記載の防護服(1)。
【請求項３】
ポリアミド繊維から得られた難燃性を有する少なくとも１つの第２繊糸を含むことを特徴とする請求項１または２に記載の防護服(1)。
【請求項４】
前記第１の導電層と前記第２織糸の層とが、これらの層が互いに接する面の全体上で、安定に結合されていることを特徴とする請求項１〜３のいずれかに記載の防護服(1)。
【請求項５】
ＩＥＣ６０８９５：２００２規格に従って測定した遮蔽効率が２０dB以上であり、好適には７０dB以上であることを特徴とする請求項１〜４のいずれかに記載の防護服(1)。
【請求項６】
ズボン、腹部用カバー、及び袖を備え、これらのズボン、腹部用カバー、及び袖が切れ目なしに連続して製造されていることを特徴とする請求項１〜５のいずれかに記載の衣服(1)。
【請求項７】
ブーツ(9)及び／または手袋(10)を備え、これらのブーツ及び手袋の各々は、少なくとも１０ｍｍの直径を有する少なくとも２つのスナップ(12)によって前記防護服(1)に接合することができることを特徴とする請求項１〜６のいずれかに記載の防護服(1)。
【請求項８】
前記第１の導電層が前記防護服(1)の内部とも連続して存在して、前記スナップ(12)の外部及び内部との電気接触を共に形成するように、前記スナップ(12)に対応して折り畳まれることを特徴とする請求項１〜７のいずれかに記載の防護服(1)。
【請求項９】
二重縫いまたはかがり縫いの縫い目を有することを特徴とする請求項１〜８のいずれかに記載の防護服(1)。
【請求項１０】
使用者の頭部の周りに配置することのできるフード(6)を備え、前記フード(6)は顔面のみを覆わないことを特徴とする請求項１〜９のいずれかに記載の防護服(1)。
【請求項１１】
前記フード(6)が１つ以上のループ締め具(8)を備え、これらのループ締め具は、使用者の眼のみを覆わないように使用者の顔面の周りに配置することができることを特徴とする請求項１〜１０のいずれかに記載の防護服(1)。
【請求項１２】
前記フード(6)が剛性のバイザー(7)を備えていることを特徴とする請求項１０または１１に記載の防護服(1)。
【請求項１３】
前記剛性のバイザー(7)が、上向きに傾く縫い目によって、前記バイザー(7)を使用者の顔面に向けて回転させる傾向のあるトルクを前記バイザーに与えるように、前記フード(6)に縫い付けられていることを特徴とする請求項１〜１２のいずれかに記載の防護服(1)。
【発明の詳細な説明】
【技術分野】
【０００１】
本発明は、請求項１の前文に記載の感電防止服に関するものである。
【背景技術】
【０００２】
こうした衣服は、例えば、通電中の高圧線上で保守作業を行う技術者用の防護服として知られている。
【０００３】
高圧電線が損傷すると、これらの高圧線が破断して、構造物に対して、及びサービス提供の中断の意味の両方で、大きな損害を生じさせることを防ぐために、これらの高圧線を修理する必要がある。
【０００４】
明らかに、技術者の活動は、高電圧の２つの異なる相間の放電（または短絡）の恐れを最小化することを目的とし、これらの相間は、８００ｋＶＡＣまたは６００ｋＶＤＣのオーダーの電位差に達し得る。
【０００５】
明らかに、予防措置をとったにもかかわらず短絡が生じても、保護を提供することのできる衣服を持つことが望まれる。
【０００６】
従来技術において今までに知られているこうした衣服は、綿糸と共に編み込んだ鋼線製である。しかし、これらの衣服は次の複数の欠点を有する：これらの衣服の、任意の２点間で測定した電気抵抗が比較的高い；これらの衣服は、使用前に毎回、強力な放電によって「活性化」して、元の導電性を回復させなければならない；最後に、鋼線は、その剛性により、作業者の動きを妨げる堅く不快な衣服を生み出し、その結果、作業の安全限界をさらに減少させる。
【０００７】
この理由により、欧州規格、ＩＥＣ６０８９５：２００２が近年承認され、この規格は、これらの目的に適した衣服の特性を示すために測定しなければならない、いくつかのパラメータを規定し、これらのパラメータのうちには、次のものがある：
・磨耗及び損耗に対する耐性； 
・難燃性
・低い電気抵抗
・容量性電流を導通させる能力
・保護及び遮蔽能力
・洗濯サイクルに対する耐性
・スパークに対する保護。
【０００８】
これらのパラメータに加えて、 この規格は、身体のいくつかの部分のみを保護する衣服に特化した他のパラメータを規定し：即ち、手袋、ブーツ、靴下、及び履物について、最大抵抗値の測定方法を規定し；頭部及び顔面を保護する衣服については、顔面保護の性能についても規定している。
【０００９】
世界中でほぼ毎日記録される過度に頻繁な事故によって、この分野において、さらに有効で、使用するのが簡単な安全服の必要性が絶えず強調されている。
【先行技術文献】
【特許文献】
【００１０】
【特許文献１】国際公開第２００８／１１４２９６号パンフレット
【発明の概要】
【発明が解決しようとする課題】
【００１１】
従って、本発明は特に、高圧線上で保守作業を行う作業者の必要性を満足することを目的とする。
【００１２】
上述した従来技術を考慮すれば、本発明の目的は、通電中の高圧線上での作業中に、技術者がより安全に作業することを可能にする防護服を得ることにあり、この防護服の性能は、上述した規格によって規定される条件に従って測定する。
【課題を解決するための手段】
【００１３】
本発明によれば、この目的は、請求項１に記載の衣服によって達成される。
【００１４】
本発明の特徴及び利点は、非限定的な例として挙げる実施例の、図面を参照した以下の詳細な説明より明らかになる：
【図面の簡単な説明】
【００１５】
【図１】本発明による衣服の好適な実施例の外観図である。
【図２】本発明の構成部品の1つの概略図である。
【発明を実施するための形態】
【００１６】
本発明によれば、衣服１は少なくとも1つの導電層を備え、この導電層の面積は、衣服１自体の面積とほぼ一致する。この第１の層は導電糸２を含み、専らこの導電糸２のみから成ることが有利である。
【００１７】
このことは、衣服１がほぼ完全な導電層から成り、この導電層上に、たとえ部分的な層でも、他の異なる層を重ね合わせることができるが、衣服１の大部分にこの第１の導電層が存在しないことはないことを意味する。
【００１８】
第１の層が例えば繊維製品である場合は、本発明の目的では、隣接する２本の織糸間の空間を、実質的に不連続の領域として考える必要はない。
【００１９】
図２に見られる導電糸２は銀を含むことができ、例えば、コア３を、例えば吹き付けによって銀の層４で覆うことができる。
【００２０】
コア３はポリマーであり、例えばポリアミド繊維（フィラメント）から成ることが有利である。好適な実施例では、織糸２の質量の約８０％が銀である。
【００２１】
銀を導電体として使用することによって、抗菌性及び静菌性も与えた衣服１を得ることが有利である。
【００２２】
導電糸２は、特許文献１（特許公開第２００８／１１４２９６号パンフレット、本願の権利保有者名義の国際特許出願、発明の名称”ENGINEERD TEXTILE YARN”、２００７年３月２２日出願）に記載のものの１つとすることができ、例えば、銀で覆われたポリアミド繊維をアミド糸と織ることによって、あるいは銀で覆われたポリアミド繊維をアラミド繊維と撚ることによって製造される。
【００２３】
好適には、衣服１は、作業者の脚部、腕部及び胴体を覆うことのできるオーバーオール５である。好適な実施例では、衣服１は、作業者の首筋及び顔の一部を覆うためのフード６及び／またはバイザー７及び／または１つ以上のループ締具８を備えている。これら要素の全てが一体となっていることが有利である。
【００２４】
さらに、衣服１は、例えばオーバーオール５と一体であるか、オーバーオール５に接続することのできるブーツ９及び／または手袋１０によって、足及び／または手を覆うこともできる。
【００２５】
このようにして、ほぼ完全なファラデーケージを生じさせる連続した被覆を得ることができ、衣服１が、上記で引用した規格によって確立された電気特性に関する要件を満足することを可能にする。
【００２６】
上記導電繊維製品は織物であることが有利であり、例えば、直径３０インチ（７６．２cm）、繊度２８の織機で作製され、インターロック織りであり、織機から除去した後に重量が２００g／m2（±５％）の重量を有するニット（編物）であることが好ましい。
【００２７】
明らかに、これらの値は最良の実施例を参照しているが、適切な製品は、円形または直線的な編機、あるいは旧来の機織(縦糸と横糸）用の織機によって得ることもできる。同様に、直径、繊度、及び織機から除去した後の重量を変化させることができる。
【００２８】
有利な実施例によれば、衣服１は、上記第１の層に安定に接続された少なくとも1つの第２の層を備え、この第２の層は、最初に引用した規格が規定する機械的耐性及び／または化学的耐性及び／または難燃性の性質を衣服１に与える。単一の層がこれらの性質の全てを与えることが好ましい。
【００２９】
両方の層がニットの形態で製造されることが有利であり、これらの層どうしは安定に接続することができる。
【００３０】
第２の層は、第２の繊維製品で構成することができ、この第２の繊維製品は、例えば、アラミド繊維、メタアラミド繊維、 処理した天然繊維、難燃繊維、難燃ビスコース、難燃綿、レンチング（Lenzing）ＦＲ（登録商標）から成るグループから選択した繊維のような、防炎または難燃性を与えた繊維とすることができる。
【００３１】
２つの層はキルティング加工によって、より有利には、接触面全体を（化学的または機械的に）結合することによって、安定に結合することができる。
【００３２】
この結合は、化学的にも機械的にも達成することができ、化学的にとは即ち、２本の織糸の間に、例えば防炎性の好適にはポリウレタン樹脂を配置し、この樹脂は、ニットの弾性特性を落とすことなしに接着剤として作用することによって達成し、機械的にとは即ち、第１の層用の少なくとも１本の導電糸と第２の層用の少なくとも１本の織糸とを同じ織機上で同時に、しかし別個に織ることによって達成する。
【００３３】
衣服１の電気抵抗を低く維持することに寄与するために、２つの布地部分（例えばアンダースリーブ（内袖）とオーバースリーブ）の間の内部の縫い目の少なくとも一部、有利には全部が、二重縫い（ダブルステッチ）で折り縫い及び／またはかがり（オーバーロック）縫いである。
【００３４】
衣服１は、胸部上に、折り込み（フラップ）１１で覆われた金属枠を含むことができる。折り込み１１は、複数のスナップ１２を用いて衣服１の胸部上で閉じることができ、スナップ１２は、例えば、折り込み１１の自由縁上にマジックテープ（登録商標）のストリップ１３と交互に配置されている。
【００３５】
より強い機械力を受ける区域に対応して、衣服１は、有利には不織布材料製の補強パッドを備えている。 例えば、こうした補強は、スナップ１２の付近、あるいはマジックテープ（登録商標）１３の付近に存在する。
【００３６】
衣服１のフード６は、首及び顔面のそれぞれを保護するための１つ以上のループ締め具８を含むことができ、眼を保護するためには、例えば不織布素材で補強した、実質的に剛性のバイザー７を製造すれば十分であることが証明されている。 眼及び鼻のより大きな保護を保証するために、バイザー７を、好適には上向きに傾く斜めの縫い目によってフード６に縫い付け、このことは、バイザー７が傾き、押されて下向きに回転するように行う。
【００３７】
このようにして、眼の保護具の使用は不要になる。従って、本発明による衣服１は、眼を保護するための透明保護具を含む必要はなく、このことは、さらに大きな使用の快適性を可能にする。
【００３８】
明らかなように、本発明によれば、極めて導電性の高い防護服１が製造され、即ち、現在市販のオーバーオールより大幅に弾性がある衣服が製造され、従って、本来の意味での外部要因（電気、攻撃性の化学物質、及び／または機械的要因、火炎）に対する保護によると共に、今までに知られている衣服よりずっと快適であることによって、作業者の安全性を増加させることのできる衣服１が得られる。
【００３９】
衣服１は、今までに、ＩＥＣ規格６０８９５：２００２を満足することのできる唯一の衣服である。
【００４０】
特に、本発明による衣服１は、この規格が規定する各種試験を受けた後に、次の結果を示した：
電気抵抗の試験については、１０オーム以下、より正確には３オーム以下、さらに正確には１オーム以下の最大抵抗値；
布地のサンプル上の電気抵抗の試験については、５オーム以下、より正確には２オーム以下、さらに正確には０．５オーム以下の測定抵抗値；
遮蔽効率は、４０ｄＢ以上、より正確には６０ｄＢ以上、さらに正確には７０ｄＢ以上、新品のサンプルについては７５ｄＢ以上、例えば７９ｄＢ以上であればより良く、洗濯したサンプルについては７８．８ｄＢ以上。
【００４１】
明らかに、当業者は、条件付きの特定の必要性を満足する目的で、上述した構成に多数の変更及び変形を導入することができるが、これらの変更及び変形のすべてが、請求項に規定する本発明の保護範囲内に含まれる。 
【図１】
2010522281.tif 000003
【図２】
2010522281.tif 000004
【国際調査報告】
2010522281.tif 000005
2010522281.tif 000006
2010522281.tif 000007